(57)【要約】      （修正有）【課題】厚みが小さくとも優れた衝撃吸収性能を確保することができ、しかも触り心地や乗り心地を向上させることができるリアシート構造を提供する。【解決手段】自動車のリアシート１のシートバック３に内装され、車幅方向の中央部分１０Ａが両側部分１０Ｂより薄いシートパッド１０を備え、シートパッドのうち少なくとも中央部分１０Ａは、ポリスチレン系樹脂とポリオレフィン系樹脂とを含む複合樹脂からなる発泡体で構成されている。【選択図】図１
0003197808.tif 000002
【実用新案登録請求の範囲】
【請求項１】
自動車のリアシートのシートバックに内装され、車幅方向の中央部分が両側部分より薄厚なシート芯材を備えたリアシート構造であって、
前記シート芯材のうち少なくとも前記中央部分は、ポリスチレン系樹脂とポリオレフィン系樹脂とを含む複合樹脂からなる発泡体で構成されていることを特徴とするリアシート構造。
【請求項２】
前記中央部分は前記複合樹脂で構成され、前記両側部分はチップウレタンで構成された複合構造をしていることを特徴とする請求項１に記載のリアシート構造。
【請求項３】
前記シート芯材は、前記シートバックの後側に配置され、かつ車内側に突出する自動車のフレームを嵌合される嵌合凹部が形成され、該嵌合凹部が形成される部分が他の部分よりも薄肉に形成されていることを特徴とする請求項１又は２に記載のリアシート構造。
【考案の詳細な説明】
【技術分野】
【０００１】
本考案は、自動車のリアシートのシートバックに内装されるシート芯材を改良したリアシート構造に関する。
【背景技術】
【０００２】
従来、自動車のリアシートは、自動車の後部座席に乗車する乗員が座るためのものであり、主としてシートクッションとそのシートクッションの後部一端側から上方に向けて立設されるシートバック、いわゆる背もたれとで構成されている。
【０００３】
上記シートクッション及びシートバックには、乗員の乗り心地や座り心地を良好に保つとともに、走行時の振動に伴う沈み込みによる乗員の保護を図るために衝撃吸収性能に優れた材質からなるシート芯材が内装されている。
【０００４】
特許文献１には、シートパッドの例が示されている。この特許文献１には、長時間の走行においても、乗員の臀部が過度に沈み込むことなく、頻繁なクラッチ操作によっても股の下部が痛くならないようにした自動車用シートパッドが示されている。この自動車用シートパッドは、シートフレームに取り付けられ、シートクッション及びシートバックを構成するメインパッドと、そのメインパッドの表面側の一部に配設されるとともに、そのメインパッドよりも硬度が低いインサートパッドとを備えて構成されている。
【０００５】
従来のシートパッドは、通常、多孔性の弾性材料からなる発泡体のウレタンフォームで構成されている。このウレタンフォームは、例えば、イソシアナート化合物とポリオール化合物との反応により得られるポリウレタン樹脂を構成成分とするウレタン原液を原料としている。そして、この原料を成形型内へ注入し、イソシアナート化合物と架橋剤として用いられる水との反応により生成される二酸化炭素（ＣＯ２）又は揮発性溶剤を発泡剤として加え、これにより原料を発泡硬化させることにより得られている。
【先行技術文献】
【特許文献】
【０００６】
【特許文献１】特開２００１−２３８７５２号公報
【考案の概要】
【考案が解決しようとする課題】
【０００７】
しかしながら、リアシートの裏側（シートクッションの位置と反対側）で、かつ自動車の車幅方向における中央部分では、自動車の構造上、自動車のフレームが車内側に突出している場合がある。そのため、前記リアシートの中央部分において、上記従来のウレタンフォームからなるシート芯材の厚みが車幅方向の両側部分に比べて薄くなるために、衝撃吸収性能が低下するおそれがあった。
【０００８】
本考案は、上述する問題点に鑑みてなされたもので、厚みが小さくとも衝撃吸収性能に優れ、触り心地や乗り心地にも優れたリアシート構造を提供することを課題とする。
【課題を解決するための手段】
【０００９】
上記目的を達成するため、本考案に係るリアシート構造は、自動車のリアシートのシートバックに内装され、車幅方向の中央部分が両側部分より薄厚なシート芯材を備えたリアシート構造であって、前記シート芯材のうち少なくとも前記中央部分は、ポリスチレン系樹脂とポリオレフィン系樹脂とを含む複合樹脂からなる発泡体で構成されていることを特徴としている。
【００１０】
本考案では、リアシートのシートバックの薄厚な中央部分のシート芯材にポリスチレン系樹脂とポリオレフィン系樹脂とを含む複合樹脂からなる発泡体が用いられているので、その中央部分においてエネルギー吸収量が大きくなり、衝撃吸収性能を高めることができる。そのため、中央部分よりも肉厚な両側部分と同等の衝撃吸収性能を確保することができる。
しかも、この複合樹脂からなる発泡体は、例えばウレタン等に比べて軽量な素材であることからシートバックの軽量化を図ることができる。
【００１１】
また、本考案に係るリアシート構造は、前記中央部分は前記複合樹脂で構成され、前記両側部分はチップウレタンで構成された複合構造をしていることが好ましい。
【００１２】
この場合には、例えばシートバックの中央部分の後側に自動車のフレームが配置される構造の場合において、その中央部分のみを衝撃吸収性能の高い前記複合樹脂からなる発泡体により構成し、前記フレームの無い両側部分を例えばチップウレタン等の従来の部材で構成することができる。
【００１３】
また、本考案に係るリアシート構造は、前記シート芯材は、前記シートバックの後側に配置され、かつ車内側に突出する自動車のフレームを嵌合される嵌合凹部が形成され、該嵌合凹部が形成される部分が他の部分よりも薄肉に形成されていることが好ましい。
【００１４】
この場合には、例えばシートバックの中央部分の後側において、自動車のフレームが車内側に突出し、シートバックが肉薄となる場合であっても、その中央部分において例えばチップウレタンが使用される両側部分と同等な衝撃吸収を得ることができる。
【考案の効果】
【００１５】
本考案のリアシート構造によれば、厚みが小さくとも優れた衝撃吸収性能を確保することができ、しかも触り心地や乗り心地を向上させることができる。
【図面の簡単な説明】
【００１６】
【図１】本考案の実施の形態によるリアシート構造を適用した自動車のリアシートの中央部分を破断した斜視図である。
【図２】図１に示すＡ−Ａ線矢視図であって、リアシートの中央部分の一部を断面で示した側面図である。
【図３】リアシートの中央部分に設けられるシートパッドを後面側から見た斜視図である。
【図４】図３に示すシートパッドを正面側から見た斜視図である。
【図５】ピオセランとチップウレタンの静圧縮特性を示す図である。
【考案を実施するための形態】
【００１７】
以下、本考案の実施の形態によるリアシート構造について、図面に基づいて説明する。
【００１８】
図１乃至図３に示すように、実施の形態による自動車のリアシート１は、自動車の後部側に乗車する乗員が座るためのもので、周知のリアシートと同様に、シートクッション２と、シートバック３と、ヘッドレスト４とで構成されている。
【００１９】
シートクッション２は、リアシート１に座る乗員の下半身が載置される部分である。なお、このシートクッション２にも、不図示のクッションフレームでシートクッションが形付けられているとともに、その表面側の表皮部材の内側にはクッションの役目を果たすチップウレタン等からなるシートパッド１０（シート芯材）が内装されている。
【００２０】
シートバック３は、シートクッション２の後部一端側から上方に向けて立設されている。このシートバック３は、シートバックフレーム（図示せず）でシートクッション２が形づけられている。このシートバック３のうち乗員の背が当接される前面全体が表皮部材３ａで覆われている。表皮部材３ａの材料は、皮革等の乗員の触り心地や乗り心地等を考慮して決められている。
図２に示す２点鎖線は、自動車のフレームＦであり、このフレームＦにリアシート１が取り付けられている。
【００２１】
ヘッドレスト４は、シートバック３の上端部に一体的に設けられていて、リアシート１に着席した乗員の頭部の後側を心地よく支えられるようにクッション性を保つ材料で構成されている。
【００２２】
シートパッド１０は、車幅方向に略３分割されており、その中央部分１０Ａが両側部分１０Ｂよりも薄厚に形成されている。
シートパッド１０の中央部分１０Ａは、ポリスチレン系樹脂とポリオレフィン系樹脂とを含む複合樹脂のピオセラン（登録商標、積水化成品工業株式会社製）からなる発泡体で構成されていて、図３及び図４に示されるように、全体形状は縦長の直方体状を呈している。その一面の前面部１０ａは、ほぼ扁平に形成されていて、乗員の上半身が凭れかかることができるように形成されている。すなわち、シートパッド１０の前面部１０ａ形状は、乗員の背をその乗員に違和感を与えることなく受け止めることが可能となるように形成されている。
【００２３】
また、シートパッド１０の中央部分１０Ａを挟んだ両側部分１０Ｂ、１０Ｂは、それぞれチップウレタンからなる発泡体で構成され、図３及び図４に示す中央部分１０Ａの形状とほぼ同様で縦長の直方体状を呈している。
【００２４】
図４に示すように、シートパッド１０の後面部１０ｂは、自動車のフレームＦ（図２参照）の形状に対応させた形状に形成され、このフレームＦの前方に突出する突起部を嵌合可能な嵌合凹部１２が形成されている。シートパッド１０は、嵌合凹部１２が形成される部分において他の部分よりもさらに薄肉に形成されている。
【００２５】
また、図４に示すように、シートパッド１０の後面部１０ｂの中心部分には、例えば直径１２ｍｍ程度の有底穴１１が設けられている。有底穴１１の深さ寸法は、成形性を考慮した深さに設定されている。このような有底穴１１を設けることにより、反対面（意匠面）から荷重が加わった際に、製品が変形することを防止することができる。この原理としては、荷重が加わった際に、製品が変形しようとする応力を有底穴の箇所で緩和（逃がす）する作用がある。
【００２６】
シートパッド１０の中央部分１０Ａのピオセランは、例えば発泡倍率が３０倍であり、チップウレタンの１１倍に比べて発泡倍率が高く、優れた衝撃吸収性能を有している。
また、ピオセランからなる中央部分１０Ａの重量は、チップウレタンからなる両側部分１０Ｂに比べて１／３程度と軽量化されている。
【００２７】
ピオセランにより構成されるシートパッド１０の中央部分１０Ａは、例えば予備発泡装置にて予備発泡させた後、発泡成形装置の金型内に充填し、蒸気加熱成形することにより製造することができる。
一方、チップウレタンにより構成されるシートパッド１０の両側部分１０Ｂは、チップ状の発泡ウレタンに接着剤等を噴霧した後、ウレタンチップフォーム製造機でを使用して製造することができる。
【００２８】
ここで、ピオセランの具体的な性能について、図５の静圧縮特性を示すグラフを用いて説明する。  
図５に示すように、衝撃吸収性能について、発泡倍率が３０倍のピオセランからなる発泡体の場合には、例えば歪２０％のときのエネルギー吸収率（吸収応力）が略０．１８ＭＰａとなり、従来のチップウレタンの場合が略０．３ＭＰａであるのに比べて略６倍と格段に大きいことが実験により確認されている。なお、図５において、グラフ面積がエネルギー吸収量に相当している。
【００２９】
次に、上述した構成のリアシート構造の作用について、図面に基づいて詳細に説明する。
図１乃至図４に示すように、本実施の形態では、リアシート１のシートバック３の薄厚な中央部分１０Ａのシートパッド１０にピオセラン（ポリスチレン系樹脂とポリオレフィン系樹脂とを含む複合樹脂）からなる発泡体が用いられているので、その中央部分１０Ａにおいてエネルギー吸収量が大きくなり、衝撃吸収性能を高めることができる。そのため、中央部分１０Ａよりも肉厚な両側部分１０Ｂと同等の衝撃吸収性能を確保することができる。
したがって、本実施の形態のようにシートパッド１０の中央部分１０Ａの後側において、自動車のフレームＦが車内側に突出し、中央部分１０Ａが肉薄となる場合であっても、その中央部分１０Ａにおいてチップウレタンが使用される両側部分１０Ｂと同等の衝撃吸収力を得ることができる。
【００３０】
しかも、ピオセランからなる発泡体は、例えばウレタン等に比べて軽量な素材であることからシートバック３の軽量化を図ることができる。
【００３１】
また、本実施の形態では、シートパッド１０の中央部分１０Ａの後側において、フレームＦが車内側に突出し、そのフレームＦを嵌合する嵌合凹部１２が形成されていて中央部分１０Ａが肉薄となるが、上述したように中央部分１０Ａにおいてチップウレタンが使用される両側部分１０Ｂと同等な衝撃吸収を得ることができる。
【００３２】
上述のように本実施の形態によるリアシート構造では、リアシートのシートパッド１０の厚みが小さくとも優れた衝撃吸収性能を確保することができ、しかも触り心地や乗り心地を向上させることができる。
【００３３】
以上、本考案によるリアシート構造の実施の形態について説明したが、本考案は上記の実施の形態に限定されるものではなく、その趣旨を逸脱しない範囲で適宜変更可能である。
例えば、本実施の形態では、シートパッド１０の車幅方向の略１／３を中央部分１０Ａとしているが、このような車幅方向の長さ寸法に限定されることはない。また、シートパッド１０の中央部分１０Ａおよび両側部分１０Ｂの厚さ寸法についてもとくに制限されるものではなく、中央部分１０Ａが両側部分１０Ｂよりも薄厚に形成されている構成であれば、前記厚さ寸法を適宜設定することができる。
【００３４】
また、本実施の形態では、ポリスチレン系樹脂とポリオレフィン系樹脂とを含む複合樹脂からなる発泡体として、ピオセランを採用し、さらにその発泡倍率を３０倍としているが、ピオセランに限定されることはなく、他のポリスチレン系樹脂とポリオレフィン系樹脂とを含む複合樹脂を用いることも可能である。また、ピオセランの発泡倍率が３０倍でなくてもかまわない。
【００３５】
さらに、本実施の形態では、シートバック３の両側部分１０Ｂはチップウレタンが採用されているが、この両側部分１０Ｂにおいてもピオセランで構成することも可能である。要は、シートバック３のシートパッド１０のうち少なくとも中央部分１０Ａがポリスチレン系樹脂とポリオレフィン系樹脂とを含む複合樹脂からなる発泡体で構成されていれば良いのである。
【００３６】
さらにまた、リアシート１のシートクッション２、シートバック３、ヘッドレスト４の各部の形状、寸法に関しては本実施の形態に限定されることはない。
【００３７】
その他、本考案の趣旨を逸脱しない範囲で、上記した実施の形態における構成要素を周知の構成要素に置き換えることは適宜可能である。
【符号の説明】
【００３８】
１  リアシート
２  シートクッション
３  シートバック
３ａ  表皮部材
４  ヘッドレスト
１０  シートパッド（シート芯材）
１０Ａ  中央部分
１０Ｂ  両側部分
１０ａ  前面部
１０ｂ  後面部
１１  有底穴
１２  嵌合凹部
Ｆ  フレーム
【図１】
0003197808.tif 000003
【図２】
0003197808.tif 000004
【図３】
0003197808.tif 000005
【図４】
0003197808.tif 000006
【図５】
0003197808.tif 000007